(57)【要約】【課題】  アドレス電極数を減少させることで集積回路を簡素化し、コストの低減を図れる画像表示用ディスプレイ装置を提供すること。【解決手段】  複数の隔壁２１，１１１により区画された複数個のディスプレイセル１１２ａ，１１２ｂと、これらディスプレイセルに電界を発生させるアドレス電極１１６並びに当該アドレス電極の延設方向と交差する方向に延設された表示電極１１４Ｘ，１１４Ｙとを含む画像表示用ディスプレイ装置１１０であって、ディスプレイセルは三角形配列されている。前記アドレス電極１１６は、アドレス電極の延設方向にたどって形成される連続Ｗ字状のディスプレイセル連続体部分における各ディスプレイセル内に屈折点を有する鋸歯状電極である。【選択図】図１９
2011134727.tif 000002
【特許請求の範囲】
【請求項１】
背面基板上の所定方向に延設された複数本のアドレス電極、前記背面基板及び前記アドレス電極上を被覆する第１絶縁層、該第１絶縁層上に形成された複数の隔壁、該隔壁により区画され内壁の少なくとも一部に蛍光塗料層が形成された複数個のディスプレイセル、内壁表面に第２絶縁層が形成されると共に前記ディスプレイセルを密封可能な形状の前面基板、及び、該前面基板と前記第２絶縁層との間に、前記アドレス電極の延設方向と交差する方向に延設された複数本の表示電極を含む画像表示用ディスプレイ装置であって、
前記ディスプレイセルは三角形配列されたものであり、前記アドレス電極は、隣接するディスプレイセルをアドレス電極の延設方向にたどって形成される連続Ｗ字状のディスプレイセル連続体部分における各ディスプレイセル内に屈折点を有する鋸歯状に形成されていることを特徴とする画像表示用ディスプレイ装置。
【請求項２】
前記表示電極は維持電極と走査電極とからなり、前記維持電極は、鋸歯状又は直線状に形成されていることを特徴とする請求項１に記載の画像表示用ディスプレイ装置。
【請求項３】
前記表示電極は維持電極と走査電極とからなり、前記走査電極は、鋸歯状又は直線状に形成されていることを特徴とする請求項１又は請求項２に記載の画像表示用ディスプレイ装置。
【請求項４】
前記表示電極は、表示電極１本が維持電極２本と走査電極１本とを交互に配置してなるものであることを特徴とする請求項１〜請求項３のいずれか１項に記載の画像表示用ディスプレイ装置。
【請求項５】
前記表示電極は、表示電極１本が維持電極２本と走査電極２本とを交互に配置してなるものであることを特徴とする請求項１〜請求項３のいずれか１項に記載の画像表示用ディスプレイ装置。
【請求項６】
前記表示電極は、表示電極１本が維持電極１本と走査電極１本とを交互に配置してなるものであることを特徴とする請求項１〜請求項３のいずれか１項に記載の画像表示用ディスプレイ装置。
【請求項７】
前記維持電極は、維持電極１本が維持電極のバス電極１本と、該維持電極のバス電極から各ディスプレイセル内に１個突出している維持電極の透明突出電極とを含むものであり、
前記走査電極は、走査電極１本が走査電極のバス電極１本と、該走査電極のバス電極から各ディスプレイセル内に１個突出している走査電極の透明突出電極とを含むものであることを特徴とする請求項１〜請求項６のいずれか１項に記載の画像表示用ディスプレイ装置。
【発明の詳細な説明】
【技術分野】
【０００１】
本発明は、画像表示用ディスプレイ装置に関し、詳しくは三角形ディスプレイセルの配列からなる画像表示用ディスプレイ装置に関するものである。
【背景技術】
【０００２】
陰極線管（ＣＲＴ）は、長期に渡ってテレビの画像を表示する画像表示用ディスプレイ装置とされてきた。陰極線管の中には、電子銃が大きなガラス管の中に、負電荷を帯びた粒子（電子）のビームを放射し、電子が管の壁にある蛍光体を励起し、蛍光体を発光させる。テレビの画像は、異なる強度で、異なる色の蛍光体をコーティングした、異なる領域を発光させることによって生じる。ＣＲＴがテレビの画像表示に用いられて長いが、その体積は大き過ぎる。言い換えれば、ＣＲＴディスプレイの画面の大きさを増加したい場合、線管の長さも同じように増加し、画面の各部分が必要とする空間に届く走査用電子銃を提供しなければならない。よって、大きな画面を有するＣＲＴは、重いだけでなく、かなりの空間を占領する。
【０００３】
従来のＰＤＰは、ＣＲＴディスプレイのいくつかの欠点を克服し、特に、大型フラットパネルディスプレイ画面を有する画像表示用ディスプレイ装置を提供し、ＣＲＴディスプレイと同じ又はそれより優れた画像画質又は性能を有する。
【０００４】
図１と図２は、それぞれ従来のＰＤＰ１０の斜視図と断面図を示す。ＰＤＰ１０は、表示電極１７とアドレス電極１３が交差すると共に個別のディスプレイセルを有するマトリックス形状のパネルから構成されている。ＰＤＰ１０において、表示電極１７は、走査電極の透明電極Ｙａ及び走査電極Ｙｂからなる走査電極と、維持電極の透明電極Ｘａ及び維持電極のバス電極Ｘｂからなる維持電極とで構成されている。表示電極１７は、透明電極Ｙａ、バス電極Ｙｂ、透明電極Ｘａ及びバス電極Ｘｂの長さ方向が、例えば、表示画面内の水平方向になるように配列される。アドレス電極１３は、長さ方向が表示電極１７と直交するように、例えば、長さ方向が表示画面内の垂直方向になるように配列され、隔壁１４、１４で仕切られたセル内に埋設されている。表示電極１７とアドレス電極１３とは、長さ方向が直交するように配置されることにより、ディスプレイセルの基本グリッドを形成している。
【０００５】
図２は、従来のグリッド形式の交流型（ＡＣ型）ＰＤＰ１０の一つのディスプレイセルの前面基板の表示電極部分で切断した断面図を示している。前記ＰＤＰ１０は、例えばガラス等の透明材料によって形成された背面基板１１を有する。アドレス電極１３は背面基板１１上に形成され、さらにアドレス電極１３を被覆するように誘電体層１２が形成される。誘電体層１２の上には長さ方向がアドレス電極１３と同一方向になるように隔壁１４が延設される。隔壁１４は、２つの隔壁１４、１４で区画されたディスプレイセルの幅方向の略中央部の底部にアドレス電極１３が位置するように形成される。ディスプレイセルの内表面、すなわち、誘電体層１２上及び隔壁１４の内壁には、蛍光体がコーディングされて形成された蛍光体層１５が設けられており、蛍光体層１５中の蛍光体は、走査電極と維持電極との間の表示放電で発生した紫外線等の光線を受光すると可視光を放射するようになっている。
【０００６】
ディスプレイセルは、隔壁１４の上端部に前面基板１９が密着することにより封止されて形成される。前面基板１９の内表面には上記表示電極１７が形成されており、表示電極１７は絶縁誘電材料からなる誘電体層１８及び保護層１６によって被覆されている。
【先行技術文献】
【特許文献】
【０００７】
【特許文献１】特開２００１−１７６４０５号公報
【発明の概要】
【発明が解決しようとする課題】
【０００８】
しかしながら、上述の従来のＰＤＰ１０は、各ディスプレイセルに一本のアドレス電極が設けられているため、ＰＤＰ１０全体で大量のアドレス電極が必要になる。このため、従来のＰＤＰ１０は、大量の集積回路が必要になるために製造コストが高くなるという問題があり、さらに、これらの集積回路を駆動する高電圧が必要となるために使用中に大量の熱が発生するという問題がある。
【０００９】
これに鑑みて、本発明の目的は、最小の電極数で理想的な性能を達成することにより集積回路を簡素化し、画像画質を改善したＰＤＰを提供することにある。
【課題を解決するための手段】
【００１０】
本発明（１）は、背面基板上の所定方向に延設された複数本のアドレス電極、前記背面基板及び前記アドレス電極上を被覆する第１絶縁層、該第１絶縁層上に形成された複数の隔壁、該隔壁により区画され内壁の少なくとも一部に蛍光塗料層が形成された複数個のディスプレイセル、内壁表面に第２絶縁層が形成されると共に前記ディスプレイセルを密封可能な形状の前面基板、及び、該前面基板と前記第２絶縁層との間に、前記アドレス電極の延設方向と交差する方向に延設された複数本の表示電極を含む画像表示用ディスプレイ装置であって、前記ディスプレイセルは三角形配列されたものであり、前記アドレス電極は、隣接するディスプレイセルをアドレス電極の延設方向にたどって形成される連続Ｗ字状のディスプレイセル連続体部分における各ディスプレイセル内に屈折点を有する鋸歯状に形成されていることを特徴とする画像表示用ディスプレイ装置を提供するものである。
【００１１】
また、本発明（２）は、本発明（１）において、前記表示電極は維持電極と走査電極とからなり、前記維持電極は、鋸歯状又は直線状に形成されていることを特徴とする画像表示用ディスプレイ装置を提供するものである。
【００１２】
また、本発明（３）は、本発明（１）又は本発明（２）において、前記表示電極は維持電極と走査電極とからなり、前記走査電極は、鋸歯状又は直線状に形成されていることを特徴とする画像表示用ディスプレイ装置を提供するものである。
【００１３】
また、本発明（４）は、本発明（１）〜本発明（３）のいずれかにおいて、前記表示電極は、表示電極１本が維持電極２本と走査電極１本とを交互に配置してなるものであることを特徴とする画像表示用ディスプレイ装置を提供するものである。
【００１４】
また、本発明（５）は、本発明（１）〜本発明（３）のいずれかにおいて、前記表示電極は、表示電極１本が維持電極２本と走査電極２本とを交互に配置してなるものであることを特徴とする画像表示用ディスプレイ装置を提供するものである。
【００１５】
また、本発明（６）は、本発明（１）〜本発明（３）のいずれかにおいて、前記表示電極は、表示電極１本が維持電極１本と走査電極１本とを交互に配置してなるものであることを特徴とする画像表示用ディスプレイ装置を提供するものである。
【００１６】
また、本発明（７）は、本発明（１）〜本発明（６）のいずれかにおいて、前記維持電極は、維持電極１本が維持電極のバス電極１本と、該維持電極のバス電極から各ディスプレイセル内に１個突出している維持電極の透明突出電極とを含むものであり、前記走査電極は、走査電極１本が走査電極のバス電極１本と、該走査電極のバス電極から各ディスプレイセル内に１個突出している走査電極の透明突出電極とを含むものであることを特徴とする画像表示用ディスプレイ装置を提供するものである。
【発明の効果】
【００１７】
本発明に係る画像表示用ディスプレイ装置によれば、ＰＤＰのアドレス電極数を減少することで、集積回路を簡素化でき、これによってコストが低減され、また、最小の電極数で画像画質を改善した理想的な性能も達成される。
【図面の簡単な説明】
【００１８】
【図１】従来のＰＤＰの斜視図である。
【図２】従来のＰＤＰのディスプレイセルの断面図である。
【図３】本発明に係る画像表示用ディスプレイ装置の前面基板の表示電極部分で切断した断面図である。
【図４】本発明に係る画像表示用ディスプレイ装置の前面基板の表示電極部分で切断した断面図である。
【図５】本発明に係る画像表示用ディスプレイ装置の前面基板の表示電極部分で切断した断面図である。
【図６】本発明に係る画像表示用ディスプレイ装置の前面基板の表示電極部分で切断した断面図である。
【図７】本発明に係る画像表示用ディスプレイ装置の前面基板の表示電極部分で切断した断面図である。
【図８】本発明に係る画像表示用ディスプレイ装置の前面基板の表示電極部分で切断した断面図である。
【図９】本発明に係る画像表示用ディスプレイ装置で用いることができる維持電極の透明突出電極及び走査電極の透明突出電極の形態を示す模式図である。
【図１０】本発明に係る画像表示用ディスプレイ装置で用いることができる維持電極の透明突出電極及び走査電極の透明突出電極の形態を示す模式図である。
【図１１】本発明に係る画像表示用ディスプレイ装置で用いることができる維持電極の透明突出電極及び走査電極の透明突出電極の形態を示す模式図である。
【図１２】本発明に係る画像表示用ディスプレイ装置で用いることができる維持電極の透明突出電極及び走査電極の透明突出電極の形態を示す模式図である。
【図１３】本発明に係る画像表示用ディスプレイ装置で用いることができる維持電極の透明突出電極及び走査電極の透明突出電極の形態を示す模式図である。
【図１４】本発明に係る画像表示用ディスプレイ装置で用いることができる維持電極の透明突出電極及び走査電極の透明突出電極の形態を示す模式図である。
【図１５】本発明に係る画像表示用ディスプレイ装置で用いることができる維持電極の透明突出電極及び走査電極の透明突出電極の形態を示す模式図である。
【図１６】本発明に係る画像表示用ディスプレイ装置で用いることができる維持電極の透明突出電極及び走査電極の透明突出電極の形態を示す模式図である。
【図１７】本発明に係る画像表示用ディスプレイ装置の前面基板の表示電極部分で切断した断面図である。
【図１８】本発明に係る画像表示用ディスプレイ装置の前面基板の表示電極部分で切断した断面図である。
【図１９】本発明に係る画像表示用ディスプレイ装置の前面基板の表示電極部分で切断した断面図である。
【図２０】本発明に係る画像表示用ディスプレイ装置の前面基板の表示電極部分で切断した断面図である。
【図２１】本発明に係る画像表示用ディスプレイ装置に用いられるディスプレイセルにおける１画素の選び方を説明するＰＤＰの模式的な正面図である。
【図２２】本発明に係る画像表示用ディスプレイ装置に用いられるディスプレイセルにおける１画素の選び方を説明するＰＤＰの模式的な正面図である。
【発明を実施するための形態】
【００１９】
本発明についての目的、特徴、長所が一層明確に理解されるよう、以下に実施形態を例示し、図面を参照しながら、詳細に説明する。
【実施例】
【００２０】
図３は、本発明に係る画像表示用ディスプレイ装置の実施例であるＰＤＰ２０の前面基板の表示電極部分で切断した断面図を示す。ＰＤＰ２０は、六角形の赤色ディスプレイセル、青色ディスプレイセル及び緑色ディスプレイセルが三角形に配列され、これら３個で１画素を形成し、ディスプレイセル全体で略ハニカム形状を呈するように配置されている。以下、ディスプレイセルの上記三角形の配列を、単に三角形配列ともいう。なお、本発明において、ディスプレイセルの形状は、三角形配列可能なものであればよく、ＰＤＰ２０に示すような六角形以外の多角形であってもよい。該形状としては、例えば、長方形、五角形等が挙げられる。
【００２１】
ＰＤＰ２０において、背面基板には、該背面基板及びアドレス電極２２の上を被覆する第１絶縁層２８が形成された後、さらに隔壁２１が形成されることにより、各セルが区画されたディスプレイセルが形成されている。なお、隔壁２１の内壁の少なくとも一部には蛍光塗料が塗布されて蛍光塗料層が形成されており、表示電極における表示放電により可視光を放射するようになっている。また、上記背面基板は、図示しない前面基板で密封することにより、ディスプレイセルが密閉されるようになっている。
【００２２】
ＰＤＰ２０は、背面基板の上にアドレス電極２２がｎ本（Ａ１、Ａ２、Ａ３．．．Ａｎ）形成されており、各アドレス電極２２は、一部が分岐して２本のアドレス電極枝部分を形成しており、分岐状になっている。本発明においてアドレス電極枝部分とは、アドレス電極のうち、１本のアドレス電極が途中から複数本に分岐されている場合におけるその分岐部分をいい、ディスプレイセルの全てに、アドレス電極枝部分が配置されるようになっている。例えば、ＰＤＰ２０は、１本のアドレス電極Ａ１が途中で分岐して、２本のアドレス電極枝部分Ａ１ａ、Ａ１ｂを形成しており、全体として分岐状になっている。
【００２３】
ＰＤＰ２０は、ディスプレイセルが三角形配列されることにより、隣接するディスプレイセルをアドレス電極の延設方向にたどっていくと、連続Ｗ字状のディスプレイセル連続体部分が形成されるようになっている。例えば、ＰＤＰ２０には、アドレス電極枝部分Ａ１ａ、Ａ２ａ、Ａ３ａ、・・・Ａｎａを奇数行ディスプレイセル２７ａに配置し、アドレス電極枝部分Ａ１ｂ、Ａ２ｂ、Ａ３ｂ、・・・Ａｎｂを偶数行ディスプレイセル２７ｂに配置している。ここで、アドレス電極Ａ１の延設方向に存在する奇数行ディスプレイセル２７ａと偶数行ディスプレイセル２７ｂとを交互にたどっていくと、２７ａ（Ｒ）、２７ｂ（Ｇ）、２７ａ（Ｂ）、２７ｂ（Ｒ）、２７ａ（Ｇ）、２７ｂ（Ｂ）・・・・を順番に結んだ連続Ｗ字状のディスプレイセル連続体部分が形成される。
【００２４】
ＰＤＰ２０において、アドレス電極枝部分は、各ディスプレイセルの放電域、具体的には、ディスプレイセルの中央部に、長方形の幅広部２３が形成されている。幅広部２３はアドレス電極枝部分と接続されており、アドレス電極枝部分に流れる信号に基づいて走査電極の透明突出電極２６Ｙとの間でアドレス放電するものである。なお、本発明において幅広部の形状は幅広部２３のような長方形に限られるものでなく、正方形であってもよい。
【００２５】
ＰＤＰ２０は、内壁表面に第２絶縁層が形成されると共に前記ディスプレイセルを密封可能な形状の図示しない前面基板における、前面基板と第２絶縁層との間に、複数の表示電極２４（Ｘｂ１、Ｘａ１、Ｙ１．．．Ｘｂｎ、Ｘａｎ、Ｙｎ）を備える。表示電極２４は、維持電極Ｘｂ１、Ｘａ１．．．Ｘｂｎ及びＸａｎ等と、走査電極Ｙ１．．．Ｙｎ等とからなる。また、各維持電極は維持電極のバス電極２５Ｘと維持電極の透明突出電極２６Ｘとからなり、各走査電極は走査電極のバス電極２５Ｙと走査電極の透明突出電極２６Ｙとからなっている。ＰＤＰ２０において、維持電極のバス電極２５Ｘと走査電極のバス電極２５Ｙは、共に鋸歯状を呈する。本発明において鋸歯状とは、鋸歯を側面から見た場合に刃先の山部と谷部とがなす輪郭として観察されるような、直線部分が同一長さ毎に所定
角度で交互に反対方向に折れ曲がることにより形成される連続した折れ線形状をいう。ＰＤＰ２０において、鋸歯状の維持電極のバス電極２５Ｘと鋸歯状の走査電極のバス電極２５Ｙは、共に、隔壁２１を図３中の横方向にたどって形成される隔壁２１の鋸歯状部分に一致した形態になっている。さらに、鋸歯状の走査電極のバス電極２５Ｙは該隔壁２１の鋸歯状部分の真上に形成され、鋸歯状の維持電極のバス電極２５Ｘは該隔壁２１の鋸歯状部分の上部近傍で且つディスプレイセルの内部に位置する部分に形成される。維持電極のバス電極２５Ｘ及び走査電極のバス電極２５Ｙは導電性金属で形成され、前者は維持電極の透明突出電極２６Ｘに、後者は走査電極の透明突出電極２６Ｙにそれぞれ信号を供給するものである。
【００２６】
なお、図３には、走査電極のバス電極が２５Ｙの１本のみ図示され、他の走査電極のバス電極は省略されているが、実際には２本の維持電極のバス電極２５Ｘ、２５Ｘと、１本の走査電極のバス電極２５Ｙとからなるユニットが、図３中、上下方向に繰り返される構造になっている。
【００２７】
さらに、ＰＤＰ２０において、表示電極２４のうち、維持電極の透明突出電極２６Ｘと走査電極の透明突出電極２６Ｙは、共にディスプレイ前面から見た形態が略五角形を呈する透明電極になっており、前者は維持電極のバス電極２５Ｘと接続され、後者は走査電極のバス電極２５Ｙと接続されている。維持電極の透明突出電極２６Ｘと走査電極の透明突出電極２６Ｙは上記略五角形の一辺が略平行になるように対向して各ディスプレイセル内の中央部近傍に配置されており、所定の条件の下、これらの電極の間で表示放電するようになっている。維持電極の透明突出電極２６Ｘ及び走査電極の透明突出電極２６Ｙは、例えば、ＩＴＯ等の金属酸化物の薄膜等の透明又は半透明の材料で形成される。
【００２８】
図１９は、本発明に係る画像表示用ディスプレイ装置ＰＤＰ１１０の前面基板の表示電極部分で切断した断面図を示す。ＰＤＰ１１０は、ＰＤＰ２０におけるアドレス電極２２の枝部分をアドレス電極枝部分１１６に変更したものに相当し、これ以外はＰＤＰ２０と同一であるため、該同一部分については説明を適宜省略する。
【００２９】
ＰＤＰ１１０において、アドレス電極枝部分１１６は鋸歯状に形成されており、該鋸歯状は、図１９における上下方向に隣接するディスプレイセル１１２の略中央部をたどって形成される鋸歯状に一致する形状になっている。これにより、ＰＤＰ１１０は、１本のアドレス電極枝部分１１６のみで、三角形配列されたディスプレイセル１１２における図１９の上下方向の隣接する２列のディスプレイセル１１２に効率よくアドレス電極を配置することが可能になっている。
【００３０】
ＰＤＰ１１０は、ディスプレイセルが三角形配列されることにより、隣接するディスプレイセルをアドレス電極の延設方向にたどっていくと、連続Ｗ字状のディスプレイセル連続体部分が形成されるようになっている。例えば、ＰＤＰ１１０のディスプレイセル１１２には、図１９における上側に維持電極のバス電極１１４Ｘ、下側に走査電極のバス電極１１４Ｙが配置される奇数行ディスプレイセル１１２ａと、上側に走査電極のバス電極１１４Ｙ、下側に維持電極のバス電極１１４Ｘが配置される偶数行ディスプレイセル１１２ｂとがあり、アドレス電極枝部分１１６の延設方向に奇数行ディスプレイセル１１２ａと偶数行ディスプレイセル１１２ｂとを順次たどっていくと、１１２ａ、１１２ｂ、１１２ａ、１１２ｂ・・・の連続による連続Ｗ字状のディスプレイセル連続体部分が形成される。ＰＤＰ１１０は、アドレス電極枝部分１１６が、奇数行ディスプレイセル１１２ａ内の中央部及び偶数行ディスプレイセル１１２ｂ内の中央部に屈折点を有する鋸歯状に形成されることにより、集積回路に接続される部分がアドレス電極枝部分１１６の端部の１箇所であっても、アドレス電極枝部分１１６１本のみで奇数行ディスプレイセル１１２ａ及び偶数行ディスプレイセル１１２ｂの両ディスプレイセルに信号を供給できるようになっている。本発明において屈折点とは、２本の線分が１８０度以外の角度で接合された部分を意味する。
【００３１】
ＰＤＰ１１０において、表示電極１１３は、維持電極のバス電極１１４Ｘ及び維持電極の透明突出電極１１５Ｘからなる維持電極と、走査電極のバス電極１１４Ｙ及び走査電極の透明突出電極１１５Ｙからなる走査電極とから構成されている。ＰＤＰ１１０において、維持電極のバス電極１１４Ｘと走査電極のバス電極１１４Ｙは、ＰＤＰ２０と同様に、共に鋸歯状を呈し、導電性金属で形成され、配置される。前者は維持電極の透明突出電極１１５Ｘに、後者は走査電極の透明突出電極１１５Ｙにそれぞれ信号を供給するものである。
【００３２】
ＰＤＰ１１０において、維持電極の透明突出電極１１５Ｘ及び走査電極の透明突出電極１１５Ｙは、ＰＤＰ２０と同様に共にディスプレイ前面から見た形態が同様の略五角形を呈する透明電極になっている。維持電極の透明突出電極１１５Ｘと走査電極の透明突出電極１１５Ｙは、維持電極の透明突出電極１１５Ｘ及び走査電極の透明突出電極１１５Ｙの五角形の一辺同士が、略平行になるように対向して各ディスプレイセル１１２内の中央部近傍に配置されており、所定の条件の下、これらの電極の間で表示放電するようになっている。維持電極の透明突出電極１１５Ｘ及び走査電極の透明突出電極１１５Ｙは、例えば、ＩＴＯ等の金属酸化物の薄膜等の透明又は半透明の材料で形成される。
【００３３】
図３に示すＰＤＰ２０は、インターレース走査の視覚影像を表示することができるものである。視覚影像は、例えば、奇数フィールド画面とこの奇数フィールド画面に続いて走査される偶数フィールド画面とから構成されている。ＰＤＰ２０において、例えば、まず、走査電極Ｙ１と維持電極Ｘａ１との間にある奇数フィールドが駆動されて奇数表示電極２４が光を生じ、次に、走査電極Ｙ１と維持電極Ｘｂ２との間にある偶数フィールドが駆動されて偶数表示電極２４が光を生じることにより、一つの視覚影像が構成される。
【００３４】
なお、アドレス電極が分岐状である構造は、ＰＤＰ２０のようなプラズマディスプレイに限らず、他の形式のディスプレイパネル、フレキシブルプリント回路又はＰＤＰの集積回路にも応用することができる。
【００３５】
図４は、本発明に係る画像表示用ディスプレイ装置の他の実施例であるＰＤＰ３０の前面基板の表示電極部分で切断した断面図を示す。
【００３６】
ＰＤＰ３０は、各ディスプレイセルが背面基板の上に形成された隔壁３１で仕切られると共に、前面に図示しない前面基板で密封されることにより、それぞれが密閉されたディスプレイセルになっている。ＰＤＰ３０は、長方形の赤色ディスプレイセル、青色ディスプレイセル及び緑色ディスプレイセルが三角形に配列されてこれら３個で１画素を形成し、ディスプレイセル全体では、１列毎に網目の位置が列方向にずれて形成される網状構造になっている。また、ＰＤＰ３０は、背面基板の上にアドレス電極３２がｎ本（Ａ１、Ａ２、Ａ３．．．Ａｎ）形成されており、各アドレス電極３２は、一部が分岐して２本のアドレス電極枝部分を形成するようになっている。例えば、ＰＤＰ３０は、１本のアドレス電極Ａ１が途中で分岐して、２本のアドレス電極枝部分Ａ１ａ、Ａ１ｂを形成している。
【００３７】
ＰＤＰ３０におけるアドレス電極３２及びアドレス電極枝部分の形態及びこれらの配置はＰＤＰ２０と同様である。すなわち、ＰＤＰ３０において、アドレス電極枝部分Ａ１ａ、Ａ１ｂ、Ａ２ａ、Ａ２ｂ、Ａ３ａ、Ａ３ｂ．．．Ａｎａ及びＡｎｂ等はそれぞれ同一の長方形からなる。また、アドレス電極枝部分は、既定の間隔を開けて平行に設置され、全体としてストライプ状構造になっている。ＰＤＰ３０のアドレス電極枝部分は、さらに、各ディスプレイセルの放電域、具体的には、ディスプレイセルの中央部に、長方形の幅広部３３が形成されている。幅広部３３はアドレス電極枝部分と接続されており、アドレス電極枝部分に流れる信号に基づいて走査電極の透明突出電極３６Ｙとの間でアドレス放電するものである。なお、本発明において幅広部の形状は幅広部３３のような長方形に限られるものでなく、正方形であってもよい。
【００３８】
また、ＰＤＰ３０は、複数の表示電極３４（Ｘｂ１、Ｘａ１、Ｙ１．．．Ｘｂｎ、Ｘａｎ、Ｙｎ）を備える。表示電極３４は、維持電極Ｘｂ１、Ｘａ１．．．Ｘｂｎ及びＸａｎ等と、走査電極Ｙ１．．．Ｙｎ等とからなる。また、各維持電極は維持電極のバス電極３５Ｘと維持電極の透明突出電極３６Ｘとからなり、各走査電極は走査電極のバス電極３５Ｙと走査電極の透明突出電極３６Ｙとからなっている。ＰＤＰ３０において、維持電極のバス電極３５Ｘと走査電極のバス電極３５Ｙは、共に直線状を呈し、既定の間隔を開けて平行に設置され、全体としてストライプ状構造になっている。また、直線状の維持電極のバス電極３５Ｘと直線状の走査電極のバス電極３５Ｙは、共に、隔壁３１を図４中の横方向にたどって形成される隔壁３１の直線状部分に一致した形態になっている。維持電極のバス電極３５Ｘ及び走査電極のバス電極３５Ｙは導電性金属で形成され、前者は維持電極の透明突出電極３６Ｘに、後者は走査電極の透明突出電極３６Ｙにそれぞれ信号を供給するものである。
【００３９】
なお、図４には、走査電極のバス電極が３５Ｙの１本のみ図示され、他の走査電極のバス電極は省略されているが、実際には２本の維持電極のバス電極３５Ｘ、３５Ｘと、１本の走査電極のバス電極３５Ｙとからなるユニットが、図４中、上下方向に繰り返される構造になっている。
【００４０】
ＰＤＰ３０において、表示電極３４のうち、維持電極の透明突出電極３６Ｘと走査電極の透明突出電極３６Ｙは、共にディスプレイ前面から見た形態が略長方形を呈する透明電極になっており、前者は維持電極のバス電極３５Ｘと接続され、後者は走査電極のバス電極３５Ｙと接続されている。維持電極の透明突出電極３６Ｘと走査電極の透明突出電極３６Ｙは上記長方形の一辺が略平行になるように対向して各ディスプレイセル内の中央部近傍に配置されており、所定の条件の下、これらの電極の間で表示放電するようになっている。維持電極の透明突出電極３６Ｘ及び走査電極の透明突出電極３６Ｙは、例えば、ＩＴＯ等の金属酸化物の薄膜等の透明又は半透明の材料で形成される。
【００４１】
図５は、本発明に係る画像表示用ディスプレイ装置のさらに他の実施例であるＰＤＰ４０の前面基板の表示電極部分で切断した断面図を示す。ＰＤＰ４０は、ＰＤＰ２０における維持電極の透明突出電極２６Ｘ及び走査電極の透明突出電極２６Ｙを、それぞれ維持電極の透明突出電極４１Ｘ及び走査電極の透明突出電極４１Ｙに変更したものに相当し、これ以外はＰＤＰ２０と同一であるため、該同一部分については説明を適宜省略する。なお、図５はアドレス電極及びアドレス電極枝部分等が省略して示されている。
【００４２】
ＰＤＰ４０は、各ディスプレイセルが背面基板の上に形成された隔壁で仕切られると共に、前面に図示しない前面基板で密封されることにより、それぞれが密閉されたディスプレイセルになっている。
【００４３】
ＰＤＰ４０において、各維持電極は維持電極のバス電極４４Ｘと維持電極の透明突出電極４１Ｘとからなり、各走査電極は走査電極のバス電極４４Ｙと走査電極の透明突出電極４１Ｙとからなっている。ＰＤＰ４０において、維持電極のバス電極４４Ｘと走査電極のバス電極４４Ｙは、ＰＤＰ２０と同様に、共に鋸歯状を呈し、導電性金属で形成され、前者は維持電極の透明突出電極４１Ｘに、後者は走査電極の透明突出電極４１Ｙにそれぞれ信号を供給するものである。
【００４４】
ＰＤＰ４０において、表示電極のうち、維持電極の透明突出電極４１Ｘと走査電極の透明突出電極４１Ｙは、共にディスプレイ前面から見た形態が同様になっている。維持電極の透明突出電極４１Ｘは、ディスプレイセル１個毎に、鋸歯状の維持電極のバス電極４４Ｘの側面形状に沿うように１個形成されたくの字形状の鋸歯状部４２と、鋸歯状の維持電極のバス電極４４Ｘの一部を覆うように鋸歯状部４２からくの字形状に突出した突出部が１個形成された維持電極のバス電極接続用突出部４５Ｘと、鋸歯状部４２に対して反対側に設けられた直線状部４３とからなるユニットが形成され、且つ隣接するユニット同士が鋸歯状部４２と直線状部４３とで接続されて図５中の横方向にユニットが連続して繰り返される繰り返し形状になっている。この繰り返し形状により、維持電極の透明突出電極４
１Ｘは、隣接する複数のディスプレイセルにまたがる電極形状になっている。
【００４５】
また、走査電極の透明突出電極４１Ｙは、ディスプレイセル１個毎に、鋸歯状の走査電極のバス電極４４Ｙの側面形状に沿うように１個形成されたくの字形状の鋸歯状部４２と、走査電極のバス電極４４Ｙの一部を覆うように鋸歯状部４２からくの字形状に突出した突出部が１個形成された走査電極のバス電極接続用突出部４５Ｙと、鋸歯状部４２に対して反対側に設けられた直線状部４３とからなるユニットが形成され、且つ隣接するユニット同士が鋸歯状部４２と直線状部４３とで接続されて図６中の横方向にユニットが連続して繰り返される繰り返し形状になっている。この繰り返し形状により、走査電極の透明突出電極４１Ｙは、隣接する複数のディスプレイセルにまたがる電極形状になっている。上記維持電極の透明突出電極４１Ｘ及び走査電極の透明突出電極４１Ｙは、共に透明電極になっており、前者は維持電極のバス電極４４Ｘと接続され、後者は走査電極のバス電極４４Ｙと接続されている。維持電極の透明突出電極４１Ｘと走査電極の透明突出電極４１Ｙは、上記直線状部４３同士が略平行になるように各ディスプレイセル内の中央部近傍に対向して配置されており、所定の条件の下、これらの電極の間で表示放電するようになっている。維持電極の透明突出電極４１Ｘ及び走査電極の透明突出電極４１Ｙは、例えば、ＩＴＯ等の金属酸化物の薄膜等の透明又は半透明の材料で形成される。
【００４６】
図６は、本発明に係る画像表示用ディスプレイ装置のさらに他の実施例であるＰＤＰ５０の前面基板の表示電極部分で切断した断面図を示す。ＰＤＰ５０は、ＰＤＰ２０において、維持電極の透明突出電極２６Ｘを、維持電極の透明突出電極５３Ｘと維持電極の透明鋸歯状電極５１Ｘとからなる維持電極の透明電極に変更すると共に、走査電極の透明突出電極２６Ｙを、走査電極の透明突出電極５３Ｙと走査電極の透明鋸歯状電極５１Ｙとからなる走査電極の透明電極に変更したものに相当し、これ以外はＰＤＰ２０と同一であるため、該同一部分については説明を適宜省略する。なお、図６はアドレス電極及びアドレス電極枝部分等が省略して示されている。
【００４７】
ＰＤＰ５０において、維持電極のバス電極５２Ｘと走査電極のバス電極５２Ｙは、ＰＤＰ２０と同様に、共に鋸歯状を呈し、導電性金属で形成され、前者は維持電極の透明突出電極５３Ｘと維持電極の透明鋸歯状電極５１Ｘとからなる維持電極の透明電極に、後者は走査電極の透明突出電極５３Ｙと走査電極の透明鋸歯状電極５１Ｙとからなる走査電極の透明電極にそれぞれ信号を供給するものである。
【００４８】
上記維持電極の透明電極及び走査電極の透明電極は、共に透明電極になっており、前者は維持電極のバス電極５２Ｘと接続され、後者は走査電極のバス電極５２Ｙと接続されている。維持電極の透明突出電極５３Ｘと走査電極の透明突出電極５３Ｙは、略五角形の一辺が略平行になるように対向して各ディスプレイセル内の中央部近傍に配置されており、所定の条件の下、これらの電極の間で表示放電するようになっている。維持電極の透明電極５３Ｘ及び５１Ｘ、並びに走査電極の透明電極５３Ｙ及び５１Ｙは、例えば、ＩＴＯ等の金属酸化物の薄膜等の透明又は半透明の材料で形成される。
【００４９】
図７は、本発明に係る画像表示用ディスプレイ装置のさらに他の実施例であるＰＤＰ６０の前面基板の表示電極部分で切断した断面図を示す。ＰＤＰ６０は、ＰＤＰ２０における維持電極の透明突出電極２６Ｘ及び走査電極の透明突出電極２６Ｙを、それぞれ維持電極の透明突出電極６１Ｘ及び走査電極の透明突出電極６１Ｙに変更したものに相当し、これ以外はＰＤＰ２０と同一であるため、該同一部分については説明を適宜省略する。なお、図７はアドレス電極及びアドレス電極枝部分等が省略して示されている。
【００５０】
ＰＤＰ６０は、各ディスプレイセルが背面基板の上に形成された隔壁で仕切られると共に、前面に図示しない前面基板で密封されることにより、それぞれが密閉されたディスプレイセルになっている。
【００５１】
ＰＤＰ６０において、各維持電極は維持電極のバス電極６４Ｘと維持電極の透明突出電極６１Ｘとからなり、各走査電極は走査電極のバス電極６４Ｙと走査電極の透明突出電極６１Ｙとからなっている。ＰＤＰ６０において、維持電極のバス電極６４Ｘと走査電極のバス電極６４Ｙは、ＰＤＰ２０と同様に、共に鋸歯状を呈し、導電性金属で形成され、前者は維持電極の透明突出電極６１Ｘに、後者は走査電極の透明突出電極６１Ｙにそれぞれ信号を供給するものである。
【００５２】
ＰＤＰ６０において、表示電極を構成する維持電極の透明突出電極６１Ｘと走査電極の透明突出電極６１Ｙは、共にディスプレイ前面から見た形態が同様になっている。維持電極の透明突出電極６１Ｘは、ディスプレイセル１個毎に、全体が略五角形状の突出部でありその隣接する２辺が鋸歯状の維持電極のバス電極６４Ｘの一部を覆うように形成された１個の維持電極のバス電極接続用突出部６２Ｘと、該五角形状の突出部のうちディスプレイセル中央部近傍に設けられた直線状部６３Ｘとからなるユニットが形成され、且つ隣接するユニット同士が直線状部６３Ｘで接続されて図７中の横方向にユニットが連続して繰り返される繰り返し形状になっている。この繰り返し形状により、維持電極の透明突出電極６１Ｘは、隣接する複数のディスプレイセルにまたがる電極形状になっている。
【００５３】
また、走査電極の透明突出電極６１Ｙは、ディスプレイセル１個毎に、全体が略五角形状の突出部でありその隣接する２辺が鋸歯状の走査電極のバス電極６４Ｙの一部を覆うように形成された１個の走査電極のバス電極接続用突出部６４Ｙと、該五角形状の突出部のうちディスプレイセル中央部近傍に設けられた直線状部６３Ｙとからなるユニットが形成され、且つ隣接するユニット同士が直線状部６３Ｙで接続されて図７中の横方向にユニットが連続して繰り返される繰り返し形状になっている。この繰り返し形状により、走査電極の透明突出電極６１Ｙは、隣接する複数のディスプレイセルにまたがる電極形状になっている。
【００５４】
前述の維持電極の透明突出電極６１Ｘ及び走査電極の透明突出電極６１Ｙは、共に透明電極になっており、前者は維持電極のバス電極６４Ｘと接続され、後者は走査電極のバス電極６４Ｙと接続されている。維持電極の透明突出電極６１Ｘと走査電極の透明突出電極６１Ｙは、前述の直線状部６３Ｘと６３Ｙが略平行になるように各ディスプレイセル内の中央部近傍に対向して配置されており、所定の条件の下、これらの電極の間で表示放電するようになっている。維持電極の透明突出電極６１Ｘ及び走査電極の透明突出電極６１Ｙは、例えば、ＩＴＯ等の金属酸化物の薄膜等の透明又は半透明の材料で形成される。
【００５５】
図８は、本発明に係る画像表示用ディスプレイ装置のさらに他の実施例であるＰＤＰ７０の前面基板の表示電極部分で切断した断面図を示す。ＰＤＰ７０は、ＰＤＰ２０における維持電極の透明突出電極２６Ｘ及び走査電極の透明突出電極２６Ｙを、それぞれ維持電極の透明突出電極７１ａ及び走査電極の透明突出電極７１ｂに変更したものに相当し、これ以外はＰＤＰ２０と同一であるため、該同一部分については説明を適宜省略する。なお、図８はアドレス電極及びアドレス電極枝部分等が省略して示されている。
【００５６】
ＰＤＰ７０において、維持電極のバス電極７３Ｘと走査電極のバス電極７３Ｙは、ＰＤＰ２０と同様に、共に鋸歯状を呈し、導電性金属で形成され、前者は維持電極の透明突出電極７１ａに、後者は走査電極の透明突出電極７１ｂにそれぞれ信号を供給するものである。
【００５７】
ＰＤＰ７０において、維持電極の透明突出電極７１ａは、ディスプレイ前面から見た形態が略五角形を呈する透明電極になっており、走査電極の透明突出電極７１ｂは、ディスプレイ前面から見た形態が略Ｔ字形を呈する透明電極になっている。前者は維持電極のバス電極７３Ｘと接続され、後者は走査電極のバス電極７３Ｙと接続されている。
【００５８】
維持電極の透明突出電極７１ａと走査電極の透明突出電極７１ｂは、維持電極の透明突出電極７１ａの五角形の一辺と、走査電極の透明突出電極７１ｂのＴ字形の一の字に相当する部分とが、略平行になるように対向して各ディスプレイセル７２内の中央部近傍に配置されており、所定の条件の下、これらの電極の間で表示放電するようになっている。維持電極の透明突出電極７１ａ及び走査電極の透明突出電極７１ｂは、例えば、ＩＴＯ等の金属酸化物の薄膜等の透明又は半透明の材料で形成される。
【００５９】
図９〜図１６は、本発明に係る画像表示用ディスプレイ装置で用いることができる維持電極の透明突出電極及び走査電極の透明突出電極の他の形態を示す。すなわち、図９には維持電極の透明突出電極８１Ｘと走査電極の透明突出電極８１Ｙとが、図１０には維持電極の透明突出電極８２Ｘと走査電極の透明突出電極８２Ｙとが、図１１には維持電極の透明突出電極８３Ｘと走査電極の透明突出電極８３Ｙとが、図１２には維持電極の透明突出電極８４Ｘと走査電極の透明突出電極８４Ｙとが、図１３には維持電極の透明突出電極８５Ｘと走査電極の透明突出電極８５Ｙとが、図１４には維持電極の透明突出電極８６Ｘと走査電極の透明突出電極８６Ｙとが、図１５には維持電極の透明突出電極８７Ｘと走査電極の透明突出電極８７Ｙとが、図１６には維持電極の透明突出電極８８Ｘと走査電極の透明突出電極８８Ｙとが、それぞれ示されている。
【００６０】
図９〜図１６に示す維持電極の透明突出電極は、それぞれが、直線状部８００と、維持電極のバス電極接続用突出部８１１Ｘ、８１２Ｘ、８１３Ｘ、８１４Ｘ、８１５Ｘ、８１６Ｘ、８１７Ｘ又は８１８Ｘとを有し、図９〜図１６に示す走査電極の透明突出電極は、それぞれが、直線状部８００と、走査電極のバス電極接続用突出部８１１Ｙ、８１２Ｙ、８１３Ｙ、８１４Ｙ、８１５Ｙ、８１６Ｙ、８１７Ｙ又は８１８Ｙとを有している。
【００６１】
図９〜図１６に示す維持電極の透明突出電極及び走査電極の透明突出電極は、それぞれの直線状部８００が平行になるように対抗して配置され、維持電極のバス電極接続用突出部８１１Ｘ、８１２Ｘ、８１３Ｘ、８１４Ｘ、８１５Ｘ、８１６Ｘ、８１７Ｘ又は８１８Ｘは図示しない維持電極のバス電極に接続され、走査電極のバス電極接続用突出部８１１Ｙ、８１２Ｙ、８１３Ｙ、８１４Ｙ、８１５Ｙ、８１６Ｙ、８１７Ｙ又は８１８Ｙは図示しない走査電極のバス電極に接続される。
【００６２】
図１７は、本発明に係る画像表示用ディスプレイ装置のさらに他の実施例であるＰＤＰ９０の前面基板の表示電極部分で切断した断面図を示す。ＰＤＰ９０は、ＰＤＰ２０における維持電極の透明突出電極２６Ｘを維持電極の透明突出電極９４Ｘに、鋸歯状の維持電極のバス電極２５Ｘを直線状の維持電極のバス電極９３Ｘに、走査電極の透明突出電極２６Ｙを走査電極の透明突出電極９４Ｙに、及び鋸歯状の走査電極のバス電極２５Ｙを直線状の走査電極のバス電極９３Ｙに、それぞれ変更して、表示電極２４を表示電極９２に変更したものに相当し、これ以外はＰＤＰ２０と同一であるため、該同一部分については説明を適宜省略する。なお、図１７はアドレス電極及びアドレス電極枝部分等が省略して示されている。
【００６３】
維持電極のバス電極９３Ｘ及び走査電極のバス電極９３Ｙは、共に直線状を呈し、既定の間隔を開けて平行に設置され、全体としてストライプ状構造になっている。なお、図１７には、走査電極のバス電極９３Ｙが１本のみ図示され、他の走査電極のバス電極は省略されているが、実際には２本の維持電極のバス電極９３Ｘと、１本の走査電極のバス電極９３Ｙとからなるユニットが、図１７中、上下方向に繰り返される構造になっている。ＰＤＰ９０において、走査電極Ｙを構成する複数の直線状の走査電極のバス電極９３Ｙは、その全てが隔壁９５を図１７中の横方向にたどって形成される鋸歯状隔壁部分９５の上に沿うように配置されるが、これに対し、維持電極Ｘ１、Ｘ２、Ｘ３．．．Ｘｎ等を構成する複数の直線状の維持電極のバス電極９３Ｘは、維持電極Ｘ１、Ｘ２、Ｘ３．．．Ｘｎ等に相当するもの全てが、ディスプレイセル９１の中央部近傍を横断するように配置されている。
【００６４】
維持電極のバス電極９３Ｘ及び走査電極のバス電極９３Ｙは導電性金属で形成され、前者は維持電極の透明突出電極９４Ｘに、後者は走査電極の透明突出電極９４Ｙにそれぞれ信号を供給するものである。
【００６５】
なお、ＰＤＰ９０は、走査電極のバス電極が上記のように配置される限り、走査電極のバス電極は直線状でなくてもよい。例えば、走査電極のバス電極を鋸歯状隔壁部分９５に沿った形状の鋸歯状のものとしてもよい。
【００６６】
ＰＤＰ９０において、維持電極の透明突出電極９４Ｘ及び走査電極の透明突出電極９４Ｙは、共にディスプレイ前面から見た形態が略五角形を呈する透明電極になっているが、両者はバス電極に対する接続位置が異なっている。すなわち、走査電極の透明突出電極９４Ｙは略五角形の角部で隔壁９５上部近傍に配置された走査電極のバス電極９３Ｙと接続されるが、維持電極の透明突出電極９４Ｘは略五角形の直線状部でディスプレイセル９１の中央部近傍に配置された維持電極のバス電極９３Ｘと接続される。
【００６７】
維持電極の透明突出電極９４Ｘと走査電極の透明突出電極９４Ｙは、維持電極の透明突出電極９４Ｘ及び走査電極の透明突出電極９４Ｙの五角形の一辺同士が、略平行になるように対向して各ディスプレイセル９１内の中央部近傍に配置されており、所定の条件の下、これらの電極の間で表示放電するようになっている。維持電極の透明突出電極９４Ｘ及び走査電極の透明突出電極９４Ｙは、例えば、ＩＴＯ等の金属酸化物の薄膜等の透明又は半透明の材料で形成される。
【００６８】
図１８は、本発明に係る画像表示用ディスプレイ装置のさらに他の実施例であるＰＤＰ１００の前面基板の表示電極部分で切断した断面図を示す。ＰＤＰ１００は、ＰＤＰ２０における維持電極の透明突出電極２６Ｘを維持電極の透明突出電極１０２Ｘに、維持電極のバス電極２５Ｘを維持電極のバス電極１０３Ｘに、走査電極の透明突出電極２６Ｙを走査電極の透明突出電極１０２Ｙに、及び走査電極のバス電極２５Ｙを走査電極のバス電極１０３Ｙａ及び１０３Ｙｂに、それぞれ変更したものに相当し、これ以外はＰＤＰ２０と同一であるため、該同一部分については説明を適宜省略する。なお、図１８はアドレス電極及びアドレス電極枝部分等が省略して示されている。
【００６９】
維持電極のバス電極１０３Ｘ、並びに、走査電極ＹのＹ１を構成する走査電極のバス電極１０３Ｙａ及び走査電極ＹのＹ２を構成する１０３Ｙｂは、共に直線状を呈し、既定の間隔を開けて平行に設置され、全体としてストライプ状構造になっている。なお、図１８には、維持電極のバス電極２本と、走査電極のバス電極２本のみ図示されているが、実際には維持電極のバス電極１０３Ｘ、走査電極のバス電極１０３Ｙａ、走査電極のバス電極１０３Ｙｂ及び維持電極のバス電極１０３Ｘからなるユニットが、図１８中、上下方向に繰り返される構造になっている。ＰＤＰ１００において、直線状の維持電極のバス電極１０３Ｘ、並びに、直線状の走査電極のバス電極１０３Ｙａ及び１０３Ｙｂは、全てがディスプレイセル１０１の中央部近傍を横断するように配置されている。
【００７０】
維持電極のバス電極１０３Ｘ並びに走査電極のバス電極１０３Ｙａ及び１０３Ｙｂは導電性金属で形成され、維持電極のバス電極１０３Ｘは維持電極の透明突出電極１０２Ｘに、走査電極のバス電極１０３Ｙａ及び１０３Ｙｂは走査電極の透明突出電極１０２Ｙにそれぞれ信号を供給するものである。
【００７１】
ＰＤＰ１００において、維持電極の透明突出電極１０２Ｘ及び走査電極の透明突出電極１０２Ｙは、共にディスプレイ前面から見た形態が略五角形を呈する透明電極になっているが、両者は隔壁に対する位置が異なっている。すなわち、走査電極の透明突出電極１０２Ｙは、該走査電極の透明突出電極１０２Ｙの略五角形の隔壁１０４側の角部が隔壁１０４内壁の上部に一致するように配置されるのに対し、維持電極の透明突出電極１０２Ｘは、該維持電極の透明突出電極１０２Ｘの略五角形の隔壁１０４側の角部が隔壁１０４から離間した位置に配置されている。
【００７２】
維持電極の透明突出電極１０２Ｘと走査電極の透明突出電極１０２Ｙは、維持電極の透明突出電極１０２Ｘ及び走査電極の透明突出電極１０２Ｙの五角形の一辺同士が、略平行になるように対向して各ディスプレイセル１０１内の中央部近傍に配置されており、所定の条件の下、これらの電極の間で表示放電するようになっている。維持電極の透明突出電極１０２Ｘ及び走査電極の透明突出電極１０２Ｙは、例えば、ＩＴＯ等の金属酸化物の薄膜等の透明又は半透明の材料で形成される。
【００７３】
図２０は、本発明に係る画像表示用ディスプレイ装置のさらに他の実施例であるＰＤＰ１２０の前面基板の表示電極部分で切断した断面図を示す。ＰＤＰ１２０は、ＰＤＰ２０における維持電極のバス電極２５Ｘ及び走査電極のバス電極２５Ｙを、それぞれ維持電極のバス電極１１４Ｘ及び走査電極のバス電極１１４Ｙに変更したものに相当し、これ以外はＰＤＰ２０と同一であるため、該同一部分については説明を適宜省略する。
【００７４】
ＰＤＰ１２０は、各ディスプレイセル１２２が背面基板の上に形成された隔壁１２１で仕切られると共に、前面に図示しない前面基板で密封されることにより、それぞれが密閉されたディスプレイセルになっている。また、ＰＤＰ１２０は、背面基板の上にアドレス電極１２３がｎ本（Ａ１、Ａ２、Ａ３．．．Ａｎ）形成されており、各アドレス電極１２３は、一部が分岐して２本のアドレス電極枝部分を形成するようになっている。例えば、ＰＤＰ１２０は、１本のアドレス電極Ａ１が途中で分岐して、２本のアドレス電極枝部分Ａ１ａ、Ａ１ｂを形成している。なお、アドレス電極がアドレス電極枝部分を有する構造は、ＰＤＰ１２０のようなプラズマディスプレイに限らず、他の形式のディスプレイパネル、フレキシブルプリント回路又はＰＤＰの集積回路にも応用することができる。
【００７５】
ＰＤＰ１２０において、アドレス電極枝部分Ａ１ａ、Ａ１ｂ、Ａ２ａ、Ａ２ｂ、Ａ３ａ、Ａ３ｂ．．．Ａｎａ及びＡｎｂ等はそれぞれ同一の長方形状になっている。また、アドレス電極枝部分は、既定の間隔を開けて平行に設置され、全体としてストライプ状構造になっている。ＰＤＰ１２０のアドレス電極枝部分は、さらに、各ディスプレイセルの放電域、具体的には、ディスプレイセルの中央部に、長方形の幅広部１２８が形成されている。幅広部１２８はアドレス電極枝部分と接続されており、アドレス電極枝部分に流れる信号に基づいて透明突出電極１２６Ｙとの間でアドレス放電するものである。なお、本発明において幅広部の形状は幅広部１２８のような長方形に限られるものでなく、正方形であってもよい。
【００７６】
ＰＤＰ１２０において、表示電極１２５は、維持電極のバス電極１２６Ｘ及び維持電極の透明突出電極１２４Ｘからなる維持電極と、走査電極のバス電極１２６Ｙ及び走査電極の透明突出電極１２４Ｙからなる走査電極とから構成されている。ＰＤＰ１２０において、維持電極のバス電極１２６Ｘと走査電極のバス電極１２６Ｙは、ＰＤＰ２０と同様に共に鋸歯状を呈し、導電性金属で形成される。なお、維持電極のバス電極１２６Ｘは、ＰＤＰ２０の維持電極のバス電極２５Ｘと異なり、走査電極のバス電極１２６Ｙと同様に、隔壁１２１の鋸歯状部分の真上に配置される。維持電極のバス電極１２６Ｘは維持電極の透明突出電極１２４Ｘに、走査電極のバス電極１２６Ｙは走査電極の透明突出電極１２４Ｙにそれぞれ信号を供給するものである。
【００７７】
なお、図２０には、走査電極のバス電極１２６Ｙが１本のみ図示され、他の走査電極のバス電極は省略されているが、実際には１本の維持電極のバス電極１２６Ｘと、１本の走査電極のバス電極１２６Ｙとからなるユニットが、図２０中、上下方向に繰り返される構造になっている。
【００７８】
ＰＤＰ１２０において、維持電極の透明突出電極１２４Ｘ及び走査電極の透明突出電極１２４Ｙは、ＰＤＰ２０と同様に共にディスプレイ前面から見た形態が同様の略五角形を呈する透明電極になっている。維持電極の透明突出電極１２４Ｘと走査電極の透明突出電極１２４Ｙは、維持電極の透明突出電極１２４Ｘ及び走査電極の透明突出電極１２４Ｙの五角形の一辺同士が、略平行になるように対向して各ディスプレイセル１１２内の中央部近傍に配置されており、所定の条件の下、これらの電極の間で表示放電するようになっている。維持電極の透明突出電極１２４Ｘ及び走査電極の透明突出電極１２４Ｙは、例えば、ＩＴＯ等の金属酸化物の薄膜等の透明又は半透明の材料で形成される。
【００７９】
図２１及び図２２は、本発明に係る画像表示用ディスプレイ装置に用いられるディスプレイセルにおける１画素の選び方を説明するＰＤＰの模式的な正面図である。図２１に示すＰＤＰ１３０ａ及び図２２に示すＰＤＰ１３０ｂは、六角形の赤色ディスプレイセル１３２、青色ディスプレイセル１３２及び緑色ディスプレイセル１３２が三角形に配列されてこれら３個で１画素を形成し、ディスプレイセル１３２全体が略ハニカム形状を呈するようになっている。
【００８０】
各ディスプレイセル１３２は、ディスプレイセル同士を区画する隔壁と、図示しない前面パネルとにより密封されているが、各色のディスプレイセル１３２内には、表示放電により赤色、青色又は緑色を発光する蛍光材料がコーティングされ、放電により自由に流動可能なイオンと電子とを生成することができるガスが充填されている。該ガスとしては、例えば、ネオン、キセノンガス等が挙げられる。各色のディスプレイセル１３２は、ディスプレイパネルに均一に分布され、電子の放電によって電荷を帯び、可視光を発光することによりディスプレイパネルに画像が形成されるようになっている。
【００８１】
図２１及び図２２において、Ｃ１及びＣ２は維持電極のバス電極を示し、Ｙｉ−１、Ｙｉ、Ｙｉ＋１及びＹｉ＋２は走査電極のバス電極を示し、維持電極の透明突出電極、走査電極の透明突出電極及びアドレス電極の記載は省略する。
【００８２】
図２１に示すＰＤＰ１３０ａは、１画素を形成するディスプレイセルの三角形配列１３１ａが、図２１の走査電極のバス電極Ｙｉ、Ｙｉ＋１等をまたぐように形成された例を示し、図２２に示すＰＤＰ１３０ｂは、１画素を形成するディスプレイセルの三角形配列１３１ｂが、図２２の維持電極のバス電極Ｃ１及びＣ２をまたぐように形成された例を示す。本発明に係る画像表示用ディスプレイ装置では、１３１ａ及び１３１ｂのいずれの三角形配列をも採用することができる。
【００８３】
以上、本発明の好適な実施例を例示したが、これは本発明を限定するものではなく、本発明の本質及び範囲を逸脱しない限りにおいては、当業者であれば行い得る少々の変更や修飾を付加することは可能である。
【符号の説明】
【００８４】
１０、２０、３０、４０、５０、６０、７０、８０、９０、１００、１１０、１２０、１３０  ＰＤＰ
１１  背面基板
１２  誘電体層
１３  アドレス電極
１４  隔壁
１５  蛍光体層
１６  保護層
１７  表示電極
１８  誘電体層
１９  前面基板
２１、３１、９５、１１１、１２１  隔壁
２２、３２、１１６、１２３  アドレス電極
２３、３３、１２８  幅広部
４５Ｘ  維持電極のバス電極接続用突出部
４５Ｙ  走査電極のバス電極接続用突出部
２４、３４  表示電極
２５Ｘ、３５Ｘ、４４Ｘ、５２Ｘ、６４Ｘ、７３Ｘ、９３Ｘ、１０３Ｘ、１１４Ｘ、１２
６Ｘ  維持電極のバス電極
２５Ｙ、３５Ｙ、４４Ｙ、５２Ｙ、６４Ｙ、７３Ｙ、９３Ｙ、１０３Ｙａ、１０３Ｙｂ、
１１４Ｙ、１２６Ｙ  走査電極のバス電極
２６Ｘ、３６Ｘ、４１Ｘ、５３Ｘ、６１Ｘ、７１ａ、９４Ｘ、１０２Ｘ、１１５Ｘ  維持
電極の透明突出電極
２６Ｙ、３６Ｙ、４１Ｙ、５３Ｙ、６１Ｙ、７１ｂ、９４Ｙ、１０２Ｙ、１１５Ｙ  走査
電極の透明突出電極
５１Ｘ  維持電極の透明鋸歯状電極
５１Ｙ  走査電極の透明鋸歯状電極
４２  鋸歯状部
６２Ｘ  バス電極接続用突出部
４３  直線状部
６３Ｘ  直線状部
７２、９１、１０１、１１２、１２２、１３２  ディスプレイセル
９２、１１３、１２５  表示電極
１３１ａ、１３１ｂ  ディスプレイセルの三角形配列
Ｒ  赤色ディスプレイセル
Ｇ  緑色ディスプレイセル
Ｂ  青色ディスプレイセル
【図１】
2011134727.tif 000003
【図２】
2011134727.tif 000004
【図３】
2011134727.tif 000005
【図４】
2011134727.tif 000006
【図５】
2011134727.tif 000007
【図６】
2011134727.tif 000008
【図７】
2011134727.tif 000009
【図８】
2011134727.tif 000010
【図９】
2011134727.tif 000011
【図１０】
2011134727.tif 000012
【図１１】
2011134727.tif 000013
【図１２】
2011134727.tif 000014
【図１３】
2011134727.tif 000015
【図１４】
2011134727.tif 000016
【図１５】
2011134727.tif 000017
【図１６】
2011134727.tif 000018
【図１７】
2011134727.tif 000019
【図１８】
2011134727.tif 000020
【図１９】
2011134727.tif 000021
【図２０】
2011134727.tif 000022
【図２１】
2011134727.tif 000023
【図２２】
2011134727.tif 000024